(57)【要約】      （修正有）【課題】架設構造物における連結装置の不測の連結解除、騒音発生等をなくす。【解決手段】架設構造物における連結装置は、受け金具２の中央壁５後面に円弧状前凹部１０が、棒状水平部材３の端面板７の前面に円弧状後凹部２２が形成せられ、端面板７から前方にのびかつ係止爪を先端に有する水平突出部に回動体１１が取り付けられ、回動体１１の受け金具２側に円弧縁１４aを有する前凸部１４が、回動体１１の端面板７側に円弧縁１５aを有する後凸部１５が形成せられ、前凹部１０の円弧面１０aおよび前凸部１４の円弧縁１４aが回動中心軸１２の中心０１を円弧中心としかつ係止時前凹部１０に前凸部１４が密に嵌る半径の円弧となされ、後凹部２２の円弧面２２aおよび後凸部１５の円弧縁１５aが回動中心軸１２の中心０１より下方に離れた点０２を円弧中心としかつ係止時後凹部２２に後凸部１５が密に嵌る半径の円弧となされているものである。【選択図】図８ｃ
2008280740.tif 000002
【特許請求の範囲】
【請求項１】
架設構造物の支柱の所定高さ外周に固着せられた受け金具と、２つの支柱間に渡される棒状水平部材の端部に固着せられかつ受け金具に係止せられる係止金具とよりなり、受け金具が、平面からみてコ形で中央壁の幅中央に上方開口垂直溝を有しており、係止金具が、棒状水平部材の端面板から前方にのびて受け金具の中央壁の垂直溝に嵌め込まれる横断面縦長方形の水平突出部と、水平突出部の先端に設けられて受け金具の中央壁と支柱との間に差し込まれる係止爪とを備えている仮設構造物の連結装置において、受け金具の垂直溝を挟んだ中央壁両側後面に円弧状前凹部が形成せられるとともに、端面板の前面に両前凹部に対応して２つの円弧状後凹部が形成せられ、係止金具の水平突出部両側に一対の回動体が配置せられて両回動体にまたがる回動中心軸が水平突出部を貫通せしめられており、回動体の受け金具側には、円弧縁を有しかつ係止解除時前凹部の円弧面に干渉しないようになされた前凸部が形成せられるとともに、回動体の端面板側には、円弧縁を有する後凸部が形成せられ、前凹部の円弧面および前凸部の円弧縁がともに回動中心軸の中心を円弧中心としかつ係止時前凹部に前凸部が密に嵌る半径の円弧となされ、後凹部の円弧面および後凸部の円弧縁がともに回動中心軸の中心より下方に離れた点を円弧中心としかつ係止時後凹部に後凸部が密に嵌る半径の円弧となされており、一対の回動体の回動用レバーが回動体の上下のうち少なくとも一方に設けられていることを特徴とする架設構造物における連結装置。
【発明の詳細な説明】
【技術分野】
【０００１】
本発明は、架設構造物における連結装置、さらに詳しくは仮設足場等の架設構造物を構成する支柱と棒状水平部材を連結する連結装置に関する。
【０００２】
なお、この明細書において、支柱と棒状水平部材との関係において、前とは連結する支柱のある側を、後とは連結する棒状水平部材のある側をいうものとする。
【背景技術】
【０００３】
従来の上記連結装置は、架設構造物の支柱の所定高さ外周に固着せられた受け金具と、２つの支柱間に渡される棒状水平部材の端部に固着せられたくさび状係止金具とよりなり、くさび状係止金具を受け金具にハンマーで上から叩き込んで係止することにより、支柱と棒状水平部材とを連結していた。また、支柱と棒状水平部材との連結を解除するさいには、棒状水平部材のくさび状係止金具を支柱の受け金具からハンマーで下から叩き上げて係止を解除するか、または支柱の受け金具の近くの棒状水平部材の端部をハンマーで下から叩き上げて同端部に固着せられているくさび状係止金具の係止を解除していた。したがって、連結および解除の両作業において騒音が発生するので、工事現場周辺に迷惑を及ぼすという問題があった。さらに、支柱と棒状水平部材の連結は、上記のように、くさび状係止金具を受け金具に固く差し込むことより行われているだけであるから、棒状水平部材の下を大きな工具を持って通過したり、資材の取付け作業をするさいに、工具や資材が棒状水平部材に当たったりするなどして棒状水平部材に不測の力が下から加わると、くさび状係止金具の係止が緩み、受け金具からくさび状係止金具が外れる危険性があった。
【０００４】
上記連結の不測の連結解除を防止するため、本出願人のうち１社は、先に下記特許文献１に開示されているような仮設構造物連結装置を提案した。この提案装置は、受け金具が、平面からみてコ形で中央壁の幅中央に上方開口垂直溝を有しており、係止金具が、棒状水平部材の端面板から前方にのび、受け金具の中央壁の垂直溝に嵌め込まれる横断面縦長方形の水平突出部と、水平突出部の先端に設けられて受け金具の中央壁と支柱との間に差し込まれる係止爪と、係止爪の後方において、中央に形成せられた下方開口垂直溝により水平突出部に前後摺動自在に引っ掛けられかつ下端に前向き水平凸部を有し、前面からみて縦長方形、側面からみて逆く形で係止爪とで中央壁を挟圧するばね製中央壁挟圧部材と、挟圧部材と端面板との間において水平突出部に上下動自在に引っ掛けられ、前面からみて逆Ｕ形、側面からみて逆Ｌ形で上半が幅広に、下半が幅狭となされかつ両下端部に抜け止めピンが渡されているくさび部材とを備えているものである。
【０００５】
また、上記不測の連結解除防止と騒音発生防止のため、下記特許文献２に開示されているような仮設構造物連結装置も提案されている。この提案装置は、受け金具が、平面からみてコ形でその中央壁が支柱に向かって下方に傾斜状であり、係止金具が、横断面逆コ形で上端に一体に形成せられて棒状水平部材の端部に被せ嵌め固着せられた半筒部を有し、両側壁縁が受け金具中央壁の傾斜角度に対応した前下がり傾斜状であり、受け金具と支柱との間に差し込まれかつ両側壁縁の上端寄りに斜度の他より緩い当接縁を有し、下端部が受け金具より下方に突出する係止爪と、横断面逆コ形の係止爪の内から下方にのびるレバーおよびレバーの上縁両側に一体に形成せられ、係止爪の両側壁下端部内側に枢軸で回動自在に取り付けられかつ後縁が円弧状となされるとともにその円弧中心が枢軸中心から前方に若干偏って位置することにより円弧部下端寄りに係止縁が形成せられ、上縁と前縁上部で角をなした上方突出耳部を有する抜け止め部材と、横断面逆コ形の係止爪の中央壁内側に上端部が取り付けられ、かつ下遊端部がレバーの垂下時上方突出耳部の前縁上部に当接し、レバーの水平時上方突出耳部の上縁に当接する抜け止め部材の姿勢保持用板ばねを備えているものである。
【特許文献１】特開２００３−５６１７６号公報
【特許文献２】特開２００６−４５８２２号公報
【発明の開示】
【発明が解決しようとする課題】
【０００６】
特許文献１に開示の提案装置によれば、係止金具の係止爪を受け金具の中央壁と支柱との間に差し込んだ後、連結解除時上昇位置にあるくさび部材の上端を数回金槌で叩き、その上半幅広部を下げて逆く形のばね製中央壁挟圧部材をばね力に抗して前進させ、係止爪とで中央壁を挟圧し、支柱と棒状水平部材を連結するものであるから、連結時中央壁挟圧部材のばね力が働いており、簡単にはくさび部材が上に抜けることはない。しかしながら、ばね製中央壁挟圧部材は、逆く形であるから、これとくさび部材の上半幅広部との間の上下にV状および逆V状の隙間が生じる。したがって、棒状水平部材はわずかではあるが支柱に対してぐらつき、不安定である。さらに、連結および解除時くさび部材を数回金槌で叩かねばならないため、従来ほどではないとはいえ、そのさいに発生する騒音の問題はある。
【０００７】
また、特許文献２に開示の提案装置によれば、係止爪を受け金具と支柱との間に差し込んだ後、係止爪から下方に突出して垂下状態にある抜け止め部材のレバーを水平になるように回動し、その耳部の円弧部を受け金具中央壁の下縁に接触移動させて係止縁に達せしめるとともに、この接触移動にともなって係止爪が僅か降下してその当接縁が受け金具中央壁の下縁に当接する。そして、このさい姿勢保持用板ばねが抜け止め部材の垂直に変位した耳部上縁に当接することにより、係止爪は受け金具から抜けなくなる。係止爪を受け金具から抜くときは、抜け止め部材のレバーを垂直になるように回動すればよいから、騒音の問題は解消されるとされている。しかしながら、実際の作業現場では、受け金具に対する係止金具の位置寸法が必ずしも所定の寸法通りと限らないので、
係止金具をハンマーで受け金具に叩き込まなければならず、依然として騒音の問題は残る。また、抜け止め部材にばね力が働いているので、ある程度係止爪の抜け止め効果はあるが、棒状水平部材に下から持ち上げる強い力が加わると、水平状態にある抜け止め部材のレバーは垂直になって、係止爪が上に抜けることになる。さらに、係止爪は受け金具に対し緩く嵌り込んでいるだけの状態であるから、架設構造物崩壊の危険性がある。
【０００８】
本発明の目的は、不測の連結解除、連結と解除時の騒音発生、支柱に対する棒状水平部材の不安定さおよび架設構造物崩壊の危険性のいずれの問題をも解決した架設構造物における連結装置を提供するにある。
【課題を解決するための手段】
【０００９】
本発明による架設構造物における連結装置は、架設構造物の支柱の所定高さ外周に固着せられた受け金具と、２つの支柱間に渡される棒状水平部材の端部に固着せられかつ受け金具に係止せられる係止金具とよりなり、受け金具が、平面からみてコ形で中央壁の幅中央に上方開口垂直溝を有しており、係止金具が、棒状水平部材の端面板から前方にのびて受け金具の中央壁の垂直溝に嵌め込まれる横断面縦長方形の水平突出部と、水平突出部の先端に設けられて受け金具の中央壁と支柱との間に差し込まれる係止爪とを備えている仮設構造物の連結装置において、受け金具の垂直溝を挟んだ中央壁両側後面に円弧状前凹部が形成せられるとともに、端面板の前面に両前凹部に対応して２つの円弧状後凹部が形成せられ、係止金具の水平突出部両側に一対の回動体が配置せられて両回動体にまたがる回動中心軸が水平突出部を貫通せしめられており、回動体の受け金具側には、円弧縁を有しかつ係止解除時前凹部の円弧面に干渉しないようになされた前凸部が形成せられるとともに、回動体の端面板側には、円弧縁を有する後凸部が形成せられ、前凹部の円弧面および前凸部の円弧縁がともに回動中心軸の中心を円弧中心としかつ係止時前凹部に前凸部が密に嵌る半径の円弧となされ、後凹部の円弧面および後凸部の円弧縁がともに回動中心軸の中心より下方に離れた点を円弧中心としかつ係止時後凹部に後凸部が密に嵌る半径の円弧となされており、一対の回動体の回動用レバーが回動体の上下のうち少なくとも一方に設けられていることを特徴とするものである。
【発明の効果】
【００１０】
本発明の架設構造物における連結装置によれば、受け金具の垂直溝を挟んだ中央壁両側後面に円弧状前凹部が形成せられるとともに、端面板の前面に両前凹部に対応して２つの円弧状後凹部が形成せられ、係止金具の水平突出部両側に一対の回動体が配置せられて両回動体にまたがる回動中心軸が水平突出部を貫通せしめられており、回動体の受け金具側には、円弧縁を有しかつ係止解除時前凹部の円弧面に干渉しないようになされた前凸部が形成せられるとともに、回動体の端面板側には、円弧縁を有する後凸部が形成せられ、前凹部の円弧面および前凸部の円弧縁がともに回動中心軸の中心を円弧中心としかつ係止時前凹部に前凸部が密に嵌る半径の円弧となされ、後凹部の円弧面および後凸部の円弧縁がともに回動中心軸の中心より下方に離れた点を円弧中心としかつ係止時後凹部に後凸部が密に嵌る半径の円弧となされており、一対の回動体の回動用レバーが回動体の上下のうち少なくとも一方に設けられているので、柱に棒状水平部材を連結するに当たり、水平突出部を受け金具の中央壁の垂直溝に嵌め込んでその先端の係止爪を受け金具の中央壁と支柱との間に差し込んだ後、回動用レバーにより回動体の回動が止まるまで回動体を反時計方向へ回せば、後凸部の円弧縁と後凹部の円弧面とは面圧接状態となり、回動体は端面板の後凹部に後凸部が嵌った位置に確実に保持される。そして、横に並んだ２つの回動体の前凸部が受け金具中央壁の相互に離れた２つの前凹部に嵌り込んでいるので、受け金具の中央壁は、受け金具の係止爪と横に並んだ２つの回動体によって前後から挟まれた状態となり、棒状水平部材は支柱に確実に連結せられる。しかも、この状態は、従来のようにばねで保持されるのではなく、回動体の後凸部の円弧縁が棒状水平部材の端面板の後凹部の円弧面に圧接して突っ張った状態に保持されるので、係止爪は受け金具から抜けない。したがって、支柱に対して棒状水平部材は安定した状態で確実に連結せられ、不測に連結が解除されることはなく、もちろん架設構造物崩壊の危険性もない。また、回動体の両方向への回動はそのレバーの操作によるものであるから、レバーをハンマーで１回か２回叩いて動かすだけでよく、従来のくさびによる連結のような騒音の発生はない。
【発明を実施するための最良の形態】
【００１１】
本発明を実施するための最良の形態を、以下図面を参照して説明する。なお、この明細書において、回動体の回動方向につき、時計方向および反時計方向というのは、図２〜図４および図８a〜図８cの紙面側からみた方向をいう。また、円弧というのは、同紙面側からみた形状をいう。
【００１２】
図１ないし図５に示す架設構造物における連結装置は、架設構造物の支柱（１）の所定高さの外周に固着せられた受け金具（２）と、２つの支柱（１）間に渡される棒状水平部材（３）の端部に固着せられかつ受け金具（１）に係止せられる係止金具（４）とよりなる。支柱（１）および棒状水平部材（３）は、所定長さを有する鋼管製であり、４つの受け金具（２）が、図１に示すように、支柱（１）の同一高さの周面四方に溶接により固着せられている。４つの受け金具（２）が１組となって同じ支柱（１）の高さ方向に複数組所定間隔をおいて存在する。４つの受け金具（２）のうち対向する２つは、一段下に位置せしめられることもある。
【００１３】
受け金具（２）は、平面からみてコ形で中央壁（５）の幅中央に上方開口垂直溝（６）を有しており、係止金具（４）は、棒状水平部材（３）の円形端面板（７）から前方にのび、受け金具（２）の中央壁（５）の垂直溝（６）に嵌め込まれる横断面縦長方形の水平突出部（８）と、水平突出部（８）の先端に設けられて受け金具（２）の中央壁（５）と支柱（１）との間に差し込まれる係止爪（９）とを備えている。
【００１４】
図８ｃに示すように、受け金具（２）の垂直溝（６）を挟んだ中央壁（５）両側後面に円弧状前凹部（１０）が形成せられ、端面板（７）の前面に２つの前凹部（１０）に対応して２つの円弧状後凹部(２２)が形成せられている。係止金具（４）の水平突出部（８）両側に一対の回動体（１１）が配置せられて両回動体（１１）にまたがる回動中心軸（１２）が水平突出部（８）をその前後方向に長い長孔（１３）を通じて貫通せしめられている。回動体（１１）の受け金具（２）側には、円弧縁（１４a）を有しかつ係止解除時前凹部（１０）の円弧面（１０a）に干渉しないように、前凹部（１０）の円弧面（１０a）の下部に対応する部分が斜め後下方に切除せられた形状の前凸部（１４）が形成せられている。なお、前凹部（１０）が浅くて、係止解除時前凹部（１０）の円弧面（１０a）に干渉しない場合は、円弧縁（１４a）を有する前凸部（１４）自体が、係止解除時前凹部（１０）の円弧面（１０a）に干渉しないようになされているということになる。回動体（１１）の端面板（７）側には、円弧縁（１５a）を有する後凸部（１５）が形成せられている。前凹部（１０）の円弧面（１０a）および前凸部（１４）の円弧縁（１４a）は、ともに回動中心軸（１２）の中心（O１）を円弧中心としかつ係止時前凹部（１０）に前凸部（１４）が密に嵌る半径の円弧となされている。（R2）は前凸部（１４）の円弧縁（１４a）の円弧半径である。後凹部(２２)の円弧面(２２a)および後凸部（１５）の円弧縁（１５a）は、ともに回動中心軸（１２）の中心（O１）を通る垂直線（V）上で同中心（O１）より下方に所定距離（D）離れた点（O２）を円弧中心としかつ係止時後凹部(２２)に後凸部（１５）が密に嵌る半径の円弧となされている。（R１）は後凸部（１５）の円弧縁（１５a）の円弧半径である。この半径（R１）の長さは、回動中心軸（１２）の中心（O１）より下方に所定距離（D）離れた点（O２）と端面板（７）の円弧状後凹部(２２)の最も深い点（O３）との間の水平距離に等しい。その結果、柱（１）に棒状水平部材（３）を連結するさい、回動体（１１）を反時計方向に回動すると、後凸部（１５）の円弧縁（１５a）が端面板（７）の後凹部(２２)の円弧面(２２a)に圧接し、それ以上回動し得なくなる。柱（１）から棒状水平部材（３）を離すさい、回動体（１１）を時計方向に回動すると、後凸部（１５）の円弧縁（１５a）が端面板（７）の後凹部(２２)の円弧面(２２a)から離間する。
【００１５】
なお、ここで、所定距離とは、実用上必要な距離をいう。後凹部(２２)の円弧面(２２a)および後凸部（１５）の円弧縁（１５a）の円弧中心が、回動中心軸（１２）の中心（O１）より下方に若干離れておれば、回動体（１１）の反時計方向の回動により、後凸部（１５）の円弧縁（１５a）が端面板（７）の後凹部(２２)の円弧面(２２a)に圧接するので、不必要に大きな距離を選ぶ必要はない。また、回動中心軸（１２）の中心（O１）より下方に所定距離（D）離れた点（O２）は、この実施形態では、回動中心軸（１２）の中心（O１）を通る垂直線（V）上にあるが、必ずしも垂直線（V）上である必要はなく、垂直線（V）から離れていてもよい。
【００１６】
この実施形態では、後凸部（１５）の円弧縁（１５a）の円弧半径（R１）は、前凸部（１４）の円弧縁（１４a）の円弧半径（R２）よりわずかに短くなされている。
【００１７】
受け金具（２）に係止金具（４）が係止固定せられた状態で、一対の回動体（１１）の上端が前後階段状となされている。上方の回動用レバー（１６）はL形板よりなり、L形板の垂直部（１６a）を支柱側にして同水平部（１６b）が両回動体（１１）の前側水平面部に渡されて固着せられている。下方の回動用レバー（１７）は両回動体（１１）それぞれに一体に形成せられて斜め下後方にのびており、その下端部が後に曲げられて後端面がハンマーで叩き易いように垂直面となされている（図６参照）。
【００１８】
垂直溝（６）の開口上端両側は、係止金具（４）の横断面縦長方形の水平突出部（８）を垂直溝（６）に嵌め込み易いように上外向きにテーパ状となされている。また、受け金具（２）の中央壁（５）と支柱（１）との間に差し込み易いように、係止爪（９）の下端両側は下内向きに、係止爪（９）の下端後側は下前向きにそれぞれテーパ状となされている。
【００１９】
係止金具（４）の横断面縦長方形の水平突出部（８）は、横長方形板の後端部をこれの横断面に合致するよう端面板（７）中央にあけられた孔に嵌めこまれて孔縁に固着せられることにより形成せられている。そして、その先端部をこれの横断面に合致するようにあけられた係止爪（９）の孔に嵌め込んで孔縁に固着することにより、水平突出部（８）の先端に係止爪（９）が設けられている。
【００２０】
端面板（７）には、一対の回動体（１１）の両側を覆いかつ受け金具（２）までのびた横断面欠円状カバー（１８）が前方突出状に固着せられている。カバー（１８）の上側は、上方の回動用レバー（１６）が動きうるように、大半が切欠部（１９）となっており、カバー（１８）の下側は、下方の回動用レバー（１７）が動きうるように、全長にわたり切欠部（２０）となっている。カバー（１８）の両側には、回動中心軸（１２）と長孔（１３）との関係を見得る円形覗孔（２１）があけられている。この覗孔（２１）の直径は、長孔（１３）の長さに等しい。
【００２１】
つぎに、図1の実線に示すように、最初支柱（１）から分かれている棒状水平部材（３）を支柱（１）に連結する仕方を説明する。まず、図1の鎖線および図２の矢印に示すように、係止金具（４）の水平突出部（８）の先端にある係止爪（９）を受け金具（２）の中央壁（５）と支柱（１）との間の上方に持ってくる。つぎに、図３に示すように、係止爪（９）を受け金具（２）の中央壁（５）と支柱（１）との間に差し込む。このさい、L形板よりなる上方の回動用レバー（１６）の垂直部（１６a）は後方斜め下向きになっているので、これを後から矢印方向にハンマーで支柱（１）側に叩いて垂直にすると、図３に示すような状態の回動体（１１）は反時計方向に回動し、図４に示すような状態になってそれ以上は回動し得ないようになる。
【００２２】
その理由を図８a〜図８cに基づいて説明する。図８aは、回動体（１１）の前凸部（１４）の円弧縁（１４a）の下端が受け金具（２）の中央壁（５）の前凹部（１０）に入ろうとしている状態を示す。この状態において、回動中心軸（１２）を通る垂直線（V）上で回動中心軸（１２）の中心（O１）より下方に所定距離（D）離れた点（O２）を通る水平線（H）上における円弧縁（１５a）と端面板（７）の後凹部(２２)の最も深い点（O３）との間には、隙間（S１）が生じている。図８bは、回動体（１１）がさらに反時計方向に回動し、回動体（１１）の前凸部（１４）の円弧縁（１４a）の下端が中央壁（５）の前凹部（１０）の円弧面（１０a）の長さの真中に到来した状態を示す。この状態において、回動中心軸（１２）の中心（O１）を通る垂直線（V）上で同中心（O１）より下方に所定距離（D）離れた点（O２）を通る水平線（H）上における円弧縁（１５a）と端面板（７）の後凹部(２２)の最も深い点（O３）との間には、隙間（S２）が生じている。この隙間（S２）は先の隙間（S１）よりも小さい。図８cは、回動体（１１）がさらに反時計方向に回動し、回動体（１１）の前凸部（１４）の円弧縁（１４a）の下端が中央壁（５）の前凹部（１０）の円弧面（１０a）の長さの下端寄りに到来した状態を示す。この状態において、回動中心軸（１２）の中心（O１）を通る垂直線（V）上で同中心（O１）より下方に所定距離（D）離れた点（O２）を通る水平線（H）上における円弧縁（１５a）と端面板（７）の後凹部(２２)の最も深い点（O３）との間の隙間は零となる。なぜなら、後凸部（１５）の円弧縁（１５a）の円弧中心と円弧縁（１５a）とを結ぶ線の長さ、すなわち半径（R１）の長さが回動中心軸（１２）の中心（O１）より下方に所定距離（D）離れた点（O２）と端面板（７）の後凹部(２２)の最も深い点（O３）との間の水平距離に等しくなされているからである。とうことは、この時点で後凸部（１５）の円弧縁（１５a）と後凹部(２２) の円弧面(２２a)とは圧接状態となり、回動体（１１）はもはや回動し得なくなる。回動体（１１）を図８aから図８cに示すように反時計方向に回動していったさい、以上のような状態になるのは、回動体（１１）の後凸部（１５）が回動中心軸（１２）の中心（O１）を通る垂直線（V）上
で同中心（O１）より下方に所定距離（D）離れた点（O２）を円弧中心とする半径（R１）の円弧縁（１５a）を有しているのに、この円弧縁（１５a）の回動は、回動中心軸（１２）の中心（O１）を回動中心とするからである。支柱（１）に対する棒状水平部材（３）の連結を解除するには、回動体（１１）の斜め下後方にのびている下方の回動用レバー（１７）の折曲下端部端面をハンマーで前方へ叩けば、回動体（１１）は時計方向に回動し、上記と逆の経過をたどって回動体（１１）の前凸部（１４）が受け金具（２）の中央壁（５）の前凹部（１０）から上方に抜け、係止爪（９）を受け金具（２）の中央壁（５）と支柱（１）との間から抜くことができるようになる。
【００２３】
なお、下方の回動用レバー（１７）を省略し、L形板よりなる上方の回動用レバー（１６）の垂直部（１６a）を後方に引っ張ってもよいが、垂直部（１６a）は支柱（１）に接近しているので、作業がしにくくなる。
【００２４】
なんらかの理由により、後凸部（１５）の円弧縁（１５a）が端面板（７）後凹部(２２) の円弧面(２２a)に接したさい、回動体（１１）の前凸部（１４）の円弧縁（１４a）と中央壁（５）の前凹部（１０）の円弧面（１０a）との間に隙間があったとしても、この実施形態では、回動中心軸（１２）が通されているのが前後方向に長い長孔（１３）であるから、この隙間を埋めることができる。すなわち、後凸部（１５）の円弧縁（１５a）が端面板（７）の後凹部(２２) の円弧面(２２a)に接した状態で回動体（１１）をさらに反時計方向に回動すると、図８ｃから明らかなように、回動中心軸（１２）の中心（O１）と円弧縁（１５a）までの距離は、上から下にかけて次第に大きくなっているので、端面板（７）の後凹部(２２)の最も深い点（O３）における後凸部（１５）の円弧縁（１５a）の接点が同円弧縁（１５a）の下方へ移動するとともに、その移動に対応して回動中心軸（１２）が長孔（１３）の前方向に移動して前記隙間を埋め、回動体（１１）が突っ張り状となったところで回動が止まることになる。
【図面の簡単な説明】
【００２５】
【図１】柱に棒状水平部材を連結する直前の状態を示す水平断面図である。
【図２】支柱に棒状水平部材を連結する直前の状態を示す一部を切り欠いた側面図である。
【図３】回動体の回動途上の状態を示す一部を切り欠いた側面図である。
【図４】支柱に棒状水平部材を連結した状態を示す一部を切り欠いた側面図である。
【図５】図４のV―V線に沿う断面図である。
【図６】上下回動用レバーを備えた回動体の側面図である。
【図７】上下回動用レバーを備えた回動体の背面図である。
【図８ａ】回動体を回動したさいの円弧縁を有する前凸部と中央壁の円弧状前凹部との関係および円弧縁を有する後凸部と端面板の円弧状後凹部との関係を示すもので、前凸部の円弧縁の下端が円弧状前凹部に入ろうとしている状態における説明側面図である。
【図８ｂ】上記関係を示すもので、前凸部の円弧縁の下端が前凹部の円弧面の長さの真中に到来した状態における説明側面図である。
【図８ｃ】上記関係を示すもので、前凸部の円弧縁の下端が前凹部の円弧面の長さの下端寄りに到来し、後凸部の円弧縁と端面板の後凹部の円弧面とが圧接した状態における説明側面図である。
【符号の説明】
【００２６】
（１）  支柱
（２）  受け金具
（３）  棒状水平部材
（４）  係止金具
（５）  受け金具の中央壁
（６）  中央壁の上方開口垂直溝
（７）  棒状水平部材の端面板
（８）  水平突出部
（９）  係止爪
（１０）  前凹部
（１０a）  前凹部の円弧面
（１１）  回動体
（１２）  回動中心軸
（O１）  回動中心軸の中心
（１４）  前凸部
（１４a）  前凸部の円弧縁
（１５）  後凸部
（１５a）  後凸部の円弧縁
（O２）  回動中心軸の中心より下方に離れた点
（R２）  前凸部の円弧縁の円弧半径
（R１）  後凸部の円弧縁の円弧半径
（１６）  上方の回動用レバー
（１７）  下方の回動用レバー
(２２)    端面板の後凹部
(２２a)    端面板の後凹部の円弧面
【図１】
2008280740.tif 000003
【図２】
2008280740.tif 000004
【図３】
2008280740.tif 000005
【図４】
2008280740.tif 000006
【図５】
2008280740.tif 000007
【図６】
2008280740.tif 000008
【図７】
2008280740.tif 000009
【図８ａ】
2008280740.tif 000010
【図８ｂ】
2008280740.tif 000011
【図８ｃ】
2008280740.tif 000012
【手続補正書】
【提出日】平成19年5月24日(2007.5.24)
【手続補正１】
【補正対象書類名】明細書
【補正対象項目名】０００７
【補正方法】変更
【補正の内容】
【０００７】
また、特許文献２に開示の提案装置によれば、係止爪を受け金具と支柱との間に差し込んだ後、係止爪から下方に突出して垂下状態にある抜け止め部材のレバーを水平になるように回動し、その耳部の円弧部を受け金具中央壁の下縁に接触移動させて係止縁に達せしめるとともに、この接触移動にともなって係止爪が僅か降下してその当接縁が受け金具中央壁の下縁に当接する。そして、このさい姿勢保持用板ばねが抜け止め部材の垂直に変位した耳部上縁に当接することにより、係止爪は受け金具から抜けなくなる。係止爪を受け金具から抜くときは、抜け止め部材のレバーを垂直になるように回動すればよいから、騒音の問題は解消されるとされている。しかしながら、実際の作業現場では、受け金具に対する係止金具の位置寸法が必ずしも所定の寸法通りと限らないので、係止金具をハンマーで受け金具に叩き込まなければならず、依然として騒音の問題は残る。また、抜け止め部材にばね力が働いているので、ある程度係止爪の抜け止め効果はあるが、棒状水平部材に下から持ち上げる強い力が加わると、水平状態にある抜け止め部材のレバーは垂直になって、係止爪が上に抜けることになる。さらに、係止爪は受け金具に対し緩く嵌り込んでいるだけの状態であるから、架設構造物崩壊の危険性がある。
【手続補正２】
【補正対象書類名】明細書
【補正対象項目名】００１２
【補正方法】変更
【補正の内容】
【００１２】
図１ないし図５に示す架設構造物における連結装置は、架設構造物の支柱（１）の所定高さの外周に固着せられた受け金具（２）と、２つの支柱（１）間に渡される棒状水平部材（３）の端部に固着せられかつ受け金具（２）に係止せられる係止金具（４）とよりなる。支柱（１）および棒状水平部材（３）は、所定長さを有する鋼管製であり、４つの受け金具（２）が、図１に示すように、支柱（１）の同一高さの周面四方に溶接により固着せられている。４つの受け金具（２）が１組となって同じ支柱（１）の高さ方向に複数組所定間隔をおいて存在する。４つの受け金具（２）のうち対向する２つは、一段下に位置せしめられることもある。
【手続補正３】
【補正対象書類名】明細書
【補正対象項目名】００２２
【補正方法】変更
【補正の内容】
【００２２】
その理由を図８a〜図８cに基づいて説明する。図８aは、回動体（１１）の前凸部（１４）の円弧縁（１４a）の下端が受け金具（２）の中央壁（５）の前凹部（１０）に入ろうとしている状態を示す。この状態において、回動中心軸（１２）を通る垂直線（V）上で回動中心軸（１２）の中心（O１）より下方に所定距離（D）離れた点（O２）を通る水平線（H）上における円弧縁（１５a）と端面板（７）の後凹部(２２)の最も深い点（O３）との間には、隙間（S１）が生じている。図８bは、回動体（１１）がさらに反時計方向に回動し、回動体（１１）の前凸部（１４）の円弧縁（１４a）の下端が中央壁（５）の前凹部（１０）の円弧面（１０a）の長さの真中に到来した状態を示す。この状態において、回動中心軸（１２）の中心（O１）を通る垂直線（V）上で同中心（O１）より下方に所定距離（D）離れた点（O２）を通る水平線（H）上における円弧縁（１５a）と端面板（７）の後凹部(２２)の最も深い点（O３）との間には、隙間（S２）が生じている。この隙間（S２）は先の隙間（S１）よりも小さい。図８cは、回動体（１１）がさらに反時計方向に回動し、回動体（１１）の前凸部（１４）の円弧縁（１４a）の下端が中央壁（５）の前凹部（１０）の円弧面（１０a）の長さの下端寄りに到来した状態を示す。この状態において、回動中心軸（１２）の中心（O１）を通る垂直線（V）上で同中心（O１）より下方に所定距離（D）離れた点（O２）を通る水平線（H）上における円弧縁（１５a）と端面板（７）の後凹部(２２)の最も深い点（O３）との間の隙間は零となる。なぜなら、後凸部（１５）の円弧縁（１５a）の円弧中心と円弧縁（１５a）とを結ぶ線の長さ、すなわち半径（R１）の長さが回動中心軸（１２）の中心（O１）より下方に所定距離（D）離れた点（O２）と端面板（７）の後凹部(２２)の最も深い点（O３）との間の水平距離に等しくなされているからである。とうことは、この時点で後凸部（１５）の円弧縁（１５a）と後凹部(２２) の円弧面(２２a)とは圧接状態となり、回動体（１１）はもはや回動し得なくなる。回動体（１１）を図８aから図８cに示すように反時計方向に回動していったさい、以上のような状態になるのは、回動体（１１）の後凸部（１５）が回動中心軸（１２）の中心（O１）を通る垂直線（V）上で同中心（O１）より下方に所定距離（D）離れた点（O２）を円弧中心とする半径（R１）の円弧縁（１５a）を有しているのに、この円弧縁（１５a）の回動は、回動中心軸（１２）の中心（O１）を回動中心とするからである。支柱（１）に対する棒状水平部材（３）の連結を解除するには、回動体（１１）の斜め下後方にのびている下方の回動用レバー（１７）の折曲下端部端面をハンマーで前方へ叩けば、回動体（１１）は時計方向に回動し、上記と逆の経過をたどって回動体（１１）の前凸部（１４）が受け金具（２）の中央壁（５）の前凹部（１０）から上方に抜け、係止爪（９）を受け金具（２）の中央壁（５）と支柱（１）との間から抜くことができるようになる。
【手続補正４】
【補正対象書類名】明細書
【補正対象項目名】００２５
【補正方法】変更
【補正の内容】
【００２５】
【図１】支柱に棒状水平部材を連結する直前の状態を示す水平断面図ある。
【図２】支柱に棒状水平部材を連結する直前の状態を示す一部を切り欠いた側面図である。
【図３】回動体の回動途上の状態を示す一部を切り欠いた側面図である。
【図４】支柱に棒状水平部材を連結した状態を示す一部を切り欠いた側面図である。
【図５】図４のV―V線に沿う断面図である。
【図６】上下回動用レバーを備えた回動体の側面図である。
【図７】上下回動用レバーを備えた回動体の背面図である。
【図８ａ】回動体を回動したさいの円弧縁を有する前凸部と中央壁の円弧状前凹部との関係および円弧縁を有する後凸部と端面板の円弧状後凹部との関係を示すもので、前凸部の円弧縁の下端が円弧状前凹部に入ろうとしている状態における説明側面図である。
【図８ｂ】上記関係を示すもので、前凸部の円弧縁の下端が前凹部の円弧面の長さの真中に到来した状態における説明側面図である。
【図８ｃ】上記関係を示すもので、前凸部の円弧縁の下端が前凹部の円弧面の長さの下端寄りに到来し、後凸部の円弧縁と端面板の後凹部の円弧面とが圧接した状態における説明側面図である。